(57)【要約】【課題】技能を有するが仕事のないＳＯＨＯ、全ての仕事を請けきれないＳＯＨＯ、業務委託を拡大したい企業との間で情報を仲介し、ＳＯＨＯ仲間によるプロジェクト請負を容易に促進できる業務請負支援システムの実現。【解決手段】企業会員２の委託案件情報をネットワーク上に公開する入札公開手段１１、ＰＪ参加者４が自己の技能やスキル情報をネットワーク上に公開するスキル公開手段２４、ＰＪ請負者３がプロジェクトを編成し参加を募る為のプロジェクト提案を公開するプロジェクト公開手段１７、委託案件情報に対するプロジェクト提案を伴った入札を受付け、提案やメンバースキルを検索収集し選定処理を支援し選定結果を通知する入札管理手段１２、ＳＯＨＯ会員のプロジェクト提案への応募を受付け、ＳＯＨＯ会員に関するスキル情報を検索収集しＳＯＨＯ会員の選定処理を支援し選定結果を通知するプロジェクト管理手段とを備える。【選択図】　　　図１
2004086757.tif 000002
【特許請求の範囲】
【請求項１】
ネットワークを介し利用可能なコンピュータ装置を用いた個人事業者（ＳＯＨＯ）向けの業務請負支援システムであって、企業会員である委託元企業が入札を望む委託業務案件情報をネットワーク上に公開する入札公開手段と、個人事業者（ＳＯＨＯ）会員が自己の有する技能やスキル情報をネットワーク上に公開するスキル公開手段と、前記ＳＯＨＯ会員の中の有能者がプロジェクトチームを編成し他のＳＯＨＯ会員の参加を募るためのプロジェクト提案情報を公開するプロジェクト公開手段と、前記公開した委託業務案件情報に対する、プロジェクトチームの前記プロジェクト提案情報を伴った入札申込情報を受付け保持し、受付けたプロジェクト提案情報、及びメンバーＳＯＨＯ会員の前記スキル情報を検索収集し、委託元企業の入札選定処理を支援し、委託元企業のプロジェクト提案に対する評価選定結果を通知する入札管理手段と、ＳＯＨＯ会員のプロジェクト提案情報に対する応募情報を受付けて保持し、受け付けたＳＯＨＯ会員に関するスキル情報を検索収集し、プロジェクト提案ＳＯＨＯ会員の応募ＳＯＨＯ会員の選定処理を支援し、選定結果を通知するプロジェクト管理手段とを備え、前記ＳＯＨＯ会員の中の有能者のプロジェクトチームと他の同様のプロジェクトチームと企業会員とがネットワーク上で入札を行い相互に情報交換した上で請負契約をすることを特徴とする個人事業者向けプロジェクト請負支援システム。
【請求項２】
前記システムの会員には、ＳＯＨＯと発注企業を含む複数種類会員の管理を想定した会員ＩＤを付与して該会員情報を会員ＩＤによって管理し、またスキル情報にはスキルＩＤを付与して該スキル情報をスキルＩＤで管理し、また委託案件には案件ＩＤを付与して識別管理し、またプロジェクト提案にはプロジェクトＩＤを付与して識別管理すると共に会員ＩＤとスキルＩＤは相互に関連付けされて管理することを特徴とする請求項１記載の個人事業者向けプロジェクト請負支援システム。
【請求項３】
発注企業から公開される委託案件は、委託希望業務の要件、仕様等情報を含むＲＦＰ（Ｒｅｑｕｅｓｔ　Ｆｏｒ　Ｐｒｏｐｏｓａｌ）情報と、納期や検収日、支払期日、支払手段情報を含む取引条件情報と、該案件の入札に関する応札内容等の入札管理情報とで構成され、発注企業がネットワークを介して情報を提供し、入札登録の提供情報に対する関係者からの応答やアクセスを受け付け、提供した情報をメンテナンスすることを特徴とする請求項１記載の個人事業者向けプロジェクト請負支援システム。
【請求項４】
ＳＯＨＯ会員から公開されるプロジェクト提案は、発注企業からのＲＦＰ情報、該請負作業の内容、日程、工程、分担等の進行管理情報、同様の見積費用、報酬分配金、経費の収支見込情報を含むプロジェクト提案情報と、該プロジェクトの募集に関する申込の選考情報を含む応募選考情報と、該ＳＯＨＯ会員のプロジェクトチーム制受注経歴の情報や、該ＳＯＨＯ会員自身の資質格付けに関するプロジェクトマネージャー（ＰＭ）の経歴、格付情報とを含み構成され、プロジェクト提案を望んだＳＯＨＯ会員がネットワークを介して情報を提供し、参加登録等の提供情報に対する関係者からの応答やアクセスを受け付け、提供した情報をメンテナンスすることを特徴とする請求項１記載の個人事業者向けプロジェクト請負支援システム。
【請求項５】
ＳＯＨＯ会員から公開されるスキル情報については、ＳＯＨＯ会員が望む就業形態、職業分野等の求職条件情報と、これに対応する１つ以上の職業分野での技能程度、他ＳＯＨＯ会員との水準比較情報等の技能情報と、該ＳＯＨＯ会員の就業経歴、業務請負履歴、実績請負単価を含む経歴情報とで構成され、ＳＯＨＯ会員が情報通信ネットワークを介して情報を提供し、提供した情報をメンテナンスすることを特徴とする請求項１記載の個人事業者向けプロジェクト請負支援システム。
【請求項６】
前記委託業務案件情報の内の、入札管理情報即ち、応札状況や落札選考情報は非公開とし、入札管理手段が、受け付けた各プロジェクト提案に対する落札選考情報を個別に対応するＳＯＨＯ会員に通知する手段を持ち共に、プロジェクト提案情報の内の、プロジェクト管理情報即ち、プロジェクトへの応募状況や選定、評価情報は非公開とし、プロジェクト管理手段が、受け付けた応募情報に対する選定評価情報を個別に対応するＳＯＨＯ会員に通知する手段を持つことを特徴とする請求項１記載の個人事業者向けプロジェクト請負支援システム。
【請求項７】
前記ＳＯＨＯ会員から公開されるビジネス提案に関わる情報について、その信頼性を高めるために、ＰＪ請負者から公開されるプロジェクト提案情報の内のＰＪ経歴、ＰＭ格付情報に対しては、ＰＪ発注者からの落札したプロジェクト提案に関する提案内容の優位性やプロジェクト履行に対する評価情報とＰＪ参加者からの参加したプロジェクト提案に関する報酬や進行管理等に関する評価情報を、ＰＪ参加者から公開されるスキル情報に対しては、ＰＪ請負者から該技術分野での技能程度や請負単価に対する評価情報を、前記公開情報へ反映する手段を持つことを特徴とする請求項１記載の個人事業者向けプロジェクト請負支援システム。
【発明の詳細な説明】
【０００１】
【発明の属する技術分野】
本発明は、クリエーター、フリーランサー、有資格者、在宅ワーカー等の個人事業者（ＳＯＨＯ：Ｓｍａｌｌ　Ｏｆｆｉｃｅ　Ｈｏｍｅ　Ｏｆｆｉｃｅ）が、企業から委託業務を請負うのに際して、ＳＯＨＯ仲間から構成される会員制交流ネットワーク内でのコラボレーションによる委託案件のプロジェクト請負を支援するための業務請負支援システムに関し、特に、従来ＳＯＨＯ自身の事業規模や生産力の零細性等から受注を見送っていた大きな仕事や本当にやりたい仕事等に対して、プロジェクトチーム制での請負を促進する業務請負支援システムに関する。
【０００２】
【従来の技術】
従来、例えば仕事の依頼が非常に集中する有能なＳＯＨＯの元へさらに委託依頼が入った場合は、単純に断るか、仕事仲間を紹介するなどの脆弱な対応を行っていた。この為結果的に次の仕事依頼が来なくなったり減収を招いたりしていた。
【０００３】
この様な事情に鑑み、近年、上記有能なＳＯＨＯの中で自らがプロジェクトマネージャー（ＰＭ）となって案件毎にプロジェクトチームを編成し、個人の請負規模では請けきれない大きな規模の仕事の請負を目指し、該請負を通じた参加請負者の収入（単金）向上、潜在的技能の活用、育成を図る等のアプローチが見られる様になってきている。
【０００４】
【発明が解決しようとする課題】
しかしながら、このようなプロジェクトチーム制請負では、プロジェクトへ参加するＳＯＨＯの選考では、参加請負者はその申込段階で所定の基準を満たしているか否かの審査を履歴書での一次選考、面接での二次選考等複数回に分けて行っている。
【０００５】
特に当初段階では選考人数にも余裕を持たせるなどの配慮も合わせて実施している。従って、該プロジェクトチーム編成作業自体にかなりの期間や工数を要するという問題がある。
【０００６】
又、運営段階では該プロジェクト参加者以外への秘匿性を持つ電子メール、掲示板等の簡便な情報通信技術を利用した基本的な程度のコミュニケーションを徹底することによるコラボレーションにとどまっている。
【０００７】
この為、プロジェクトを効果的に運営し、成功させるためにはＰＭに属人的な技能、経験、手腕が要求されるという問題もある。
【０００８】
そこで本発明は、これらの課題を解決するために、個人事業者（ＳＯＨＯ）仲間が相互の人的ネットワークからプロジェクトチームを編成して業務請負を計画、編成、実施、履行する請負事業に関して、プロジェクトに参加するＳＯＨＯの立場ではプロジェクトの運営を統括するプロジェクトマネージャー（ＰＭ）等の資質を確認し信頼したうえで参加できる安心感を備え、プロジェクトを編成し運営を統括するＰＭの立場としては優秀な参加人材の発掘や参加者技能程度の把握、予算設定などの管理業務を簡便容易に行え、業務委託企業の立場では業務委託先の企業から個人事業者への切り替えや委託業務範囲の拡大等を容易に導入し人件費の低減等の合理化を図れる、ＳＯＨＯ仲間でのプロジェクト請負支援システムの実現を目的とする。
【０００９】
【課題を解決するための手段】
本発明の第１の個人事業者向けプロジェクト請負支援システムは、ネットワークを介し利用可能なコンピュータ装置を用いた個人事業者（ＳＯＨＯ）向けの業務請負支援システムであって、企業会員である委託元企業が入札を望む委託業務案件情報をネットワーク上に公開する入札公開手段と、個人事業者（ＳＯＨＯ）会員が自己の有する技能やスキル情報をネットワーク上に公開するスキル公開手段と、前記ＳＯＨＯ会員の中の有能者がプロジェクトチームを編成し他のＳＯＨＯ会員の参加を募るためのプロジェクト提案情報を公開するプロジェクト公開手段と、前記公開した委託業務案件情報に対する、プロジェクトチームの前記プロジェクト提案情報を伴った入札申込情報を受付け保持し、受付けたプロジェクト提案情報、及びメンバーＳＯＨＯ会員の前記スキル情報を検索収集し、委託元企業の入札選定処理を支援し、委託元企業のプロジェクト提案に対する評価選定結果を通知する入札管理手段と、ＳＯＨＯ会員のプロジェクト提案情報に対する応募情報を受付けて保持し、受け付けたＳＯＨＯ会員に関するスキル情報を検索収集し、プロジェクト提案ＳＯＨＯ会員の応募ＳＯＨＯ会員の選定処理を支援し、選定結果を通知するプロジェクト管理手段とを備え、前記ＳＯＨＯ会員の中の有能者のプロジェクトチームと他の同様のプロジェクトチームと企業会員とがネットワーク上で入札を行い相互に情報交換した上で請負契約をすることを特徴とする。
【００１０】
本発明の第２の個人事業者向けプロジェクト請負支援システムは、前記第１の個人事業者向けプロジェクト請負支援システムに於いて、前記システムの会員には、ＳＯＨＯと発注企業を含む複数種類会員の管理を想定した会員ＩＤを付与して該会員情報を会員ＩＤによって管理し、またスキル情報にはスキルＩＤを付与して該スキル情報をスキルＩＤで管理し、また委託案件には案件ＩＤを付与して識別管理し、またプロジェクト提案にはプロジェクトＩＤを付与して識別管理すると共に会員ＩＤとスキルＩＤは相互に関連付けされて管理することを特徴とする。
【００１１】
本発明の第３の個人事業者向けプロジェクト請負支援システムは、前記第１の個人事業者向けプロジェクト請負支援システムに於いて、発注企業から公開される委託案件は、委託希望業務の要件、仕様等情報を含むＲＦＰ（ＲｅｑｕｅｓｔＦｏｒ　Ｐｒｏｐｏｓａｌ）情報と、納期や検収日、支払期日、支払手段情報を含む取引条件情報と、該案件の入札に関する応札内容等の入札管理情報とで構成され、発注企業がネットワークを介して情報を提供し、入札登録の提供情報に対する関係者からの応答やアクセスを受け付け、提供した情報をメンテナンスすることを特徴とする。
【００１２】
本発明の第４の個人事業者向けプロジェクト請負支援システムは、前記第１の個人事業者向けプロジェクト請負支援システムに於いて、ＳＯＨＯ会員から公開されるプロジェクト提案は、発注企業からのＲＦＰ情報、該請負作業の内容、日程、工程、分担等の進行管理情報、同様の見積費用、報酬分配金、経費の収支見込情報を含むプロジェクト提案情報と、該プロジェクトの募集に関する申込の選考情報を含む応募選考情報と、該ＳＯＨＯ会員のプロジェクトチーム制受注経歴の情報や、該ＳＯＨＯ会員自身の資質格付けに関するプロジェクトマネージャー（ＰＭ）の経歴、格付情報とを含み構成され、プロジェクト提案を望んだＳＯＨＯ会員がネットワークを介して情報を提供し、参加登録等の提供情報に対する関係者からの応答やアクセスを受け付け、提供した情報をメンテナンスすることを特徴とする。
【００１３】
本発明の第５の個人事業者向けプロジェクト請負支援システムは、前記第１の個人事業者向けプロジェクト請負支援システムに於いて、ＳＯＨＯ会員から公開されるスキル情報については、ＳＯＨＯ会員が望む就業形態、職業分野等の求職条件情報と、これに対応する１つ以上の職業分野での技能程度、他ＳＯＨＯ会員との水準比較情報等の技能情報と、該ＳＯＨＯ会員の就業経歴、業務請負履歴、実績請負単価を含む経歴情報とで構成され、ＳＯＨＯ会員が情報通信ネットワークを介して情報を提供し、提供した情報をメンテナンスすることを特徴とする。
【００１４】
本発明の第６の個人事業者向けプロジェクト請負支援システムは、前記第１の個人事業者向けプロジェクト請負支援システムに於いて、前記委託業務案件情報の内の、入札管理情報即ち、応札状況や落札選考情報は非公開とし、入札管理手段が、受け付けた各プロジェクト提案に対する落札選考情報を個別に対応するＳＯＨＯ会員に通知する手段を持ち共に、プロジェクト提案情報の内の、プロジェクト管理情報即ち、プロジェクトへの応募状況や選定、評価情報は非公開とし、プロジェクト管理手段が、受け付けた応募情報に対する選定評価情報を個別に対応するＳＯＨＯ会員に通知する手段を持つことを特徴とする。
【００１５】
本発明の第７の個人事業者向けプロジェクト請負支援システムは、前記第１の個人事業者向けプロジェクト請負支援システムに於いて、前記ＳＯＨＯ会員から公開されるビジネス提案に関わる情報について、その信頼性を高めるために、ＰＪ請負者から公開されるプロジェクト提案情報の内のＰＪ経歴、ＰＭ格付情報に対しては、ＰＪ発注者からの落札したプロジェクト提案に関する提案内容の優位性やプロジェクト履行に対する評価情報とＰＪ参加者からの参加したプロジェクト提案に関する報酬や進行管理等に関する評価情報を、ＰＪ参加者から公開されるスキル情報に対しては、ＰＪ請負者から該技術分野での技能程度や請負単価に対する評価情報を、前記公開情報へ反映する手段を持つことを特徴とする。
【００１６】
【発明の実施の形態】
図１は、本発明の業務請負支援システムの全体的な構成を示すブロック図である。図１を参照し、会員制交流ネットワーク１は、ＳＯＨＯ協同受注組合、ＳＯＨＯ支援センター、ＳＯＨＯ請負仲介機関等の役割を兼ね備えたＳＯＨＯ請負支援のための会員制交流ネットワークである。
【００１７】
ＰＪ発注者２はこの会員制ネットワークに属し予め企業名、本社住所、代表者氏名、事業内容等の企業の属性的情報を会員管理手段６に登録している企業会員であり、会員制交流ネットワーク１を通じ委託業務案件を発注する。
【００１８】
ＰＪ発注者２はインターネット網５を経由して利用するＷＷＷ閲覧端末２１を有している。ＷＷＷ閲覧端末２１は例えば、ブラウザを搭載しインターネット上のＷＷＷサイトにアクセス可能なパーソナルコンピュータ等である。
【００１９】
ＰＪ請負者３およびＰＪ参加者４は会員制交流ネットワーク１に属し予め氏名、住所、年齢、性別等の個人の属性的情報を会員管理手段６に登録しているＳＯＨＯ会員であり、インターネット網５を経由して利用するＷＷＷ閲覧端末３１或いは４１を備えている。
【００２０】
Ｗｅｂ情報公開手段９は入札公開手段１１、プロジェクト公開手段１７、スキル公開手段２３を含む。
【００２１】
入札公開手段１１はＰＪ発注者（企業会員）２が委託業務案件情報１３を登録し、これの非公開部分を除きＳＯＨＯ会員３、４に公開する（閲覧させる）為の手段である。又、ＰＪ請負者３が業務委託案件情報を閲覧時にその請負を申し込むエントリとしての手段も有する。
【００２２】
プロジェクト公開手段１７は、ＰＪ請負者３が委託業務案件を請け負う為のプロジェクト提案情報１９を登録し、これの非公開部分を除きＳＯＨＯ会員４に公開し、又入札先の企業会員に公開するための手段である。
【００２３】
又、ＰＪ参加者４がプロジェクト提案情報を閲覧時にそれに応募する際のエントリとしての手段も有する。
【００２４】
スキル公開手段２３は、ＳＯＨＯ会員４のスキル情報を登録し、これをＰＪ請負者３や、企業会員２に公開する為の手段である。
【００２５】
Ｗｅｂ情報管理手段１０は、入札管理手段１２、プロジェクト管理手段１８、、スキル管理手段２４を含む。
【００２６】
入札管理手段は入札公開手段１１を介した請負申し込み情報の受付を行い、ＰＪ発注者（企業会員）２のアクセスに応じて、その会員の業務委託案件情報や、受け付けたプロジェクト提案やＰＪ参加者のスキル情報を閲覧させ、落札選定結果等の評価情報を取得し（入力させ）、委託業務案件情報１３の管理情報（入札選考情報）として追加、更新し格納する。
【００２７】
又、同時に入札受付した各プロジェクト提案への落札選定結果を含めた評価情報を、それぞれのプロジェク管理手段へ渡す。
【００２８】
プロジェクト管理手段１８は、プロジェクト公開手段１７を介した参加応募情報の受付を行い、ＰＪ請負者（ＳＯＨＯ会員）３のアクセスに応じて、その会員のプロジェクト提案情報や、参加を受け付けたＰＪ参加者４のスキル情報を閲覧させる。
【００２９】
そして前記ＰＪ参加者４の採用／否の評価情報を取得し（入力させ）、プロジェクト提案情報１９の管理情報として追加、更新し格納し、更にこの情報はスキル管理手段に渡される。
【００３０】
プロジェクト管理手段１８は、また前記入札管理手段から受けた評価情報を、宛先（ＵＲＬ等）に従ってプロジェクト提案情報１９のＰＪ経歴情報２１やＰＭ格付情報２２に格納する。
【００３１】
スキル管理手段２４は、ＰＪ参加者（ＳＯＨＯ会員）４のアクセスに応じて、その会員のスキル情報を閲覧させる。また前記プロジェクト管理手段１８から受けた採用／否を含む評価情報を、宛先（ＵＲＬ等）に従ってスキル情報２５の中の経歴情報２８の内容へフィードバックする。
【００３２】
イントラネット／インターネット３０、３１、３２はサイト内のＬＡＮやネットワークであるか、或いはサイト間を接続するインターネットである。
【００３３】
図２は委託業務案件情報１３の具体例を示した図である。委託業務案件情報１３はＩＤ、ＲＦＰ１４と取引条件１５と入札選考情報１６から構成される。
【００３４】
ＩＤ、ＲＦＰ１４には委託案件ＩＤ、業務要件、仕様、入札期限等を含み、取引条件１５には納期、支払期日、支払手段等を含み、入札選考情報１６には入札を受付けた情報（プロジェクト提案情報ＩＤと、その内容或いはその内容の格納場所としてのＵＲＬ）、落札（選考）結果等を含む。
【００３５】
ここで入札選考情報１６は、委託業務案件情報１３の管理情報であり、非公開情報とし、プロジェクト提案したＰＪ請負者ごとにその提案に対する評価情報のみを通知する。
【００３６】
図３はプロジェクト提案情報１９の具体例を示した図である。プロジェクト提案情報１９はＩＤ、ＰＪ提案２０とＰＪ経歴、ＰＭ格付２１と応募選考２２から構成される。
【００３７】
ＩＤ、ＰＪ提案２０にはプロジェクトＩＤ、ＲＦＰ、進行管理、収支見込等を含み、ＰＪ経歴、ＰＭ格付２１にはＰＪ請負履歴、運営評価情報、履行評価情報等を含む。
【００３８】
図４はスキル情報２５の具体例を示した図である。スキル情報２５はＩＤ、求職条件２６と技能（スキル）２７と経歴２８から構成される。
【００３９】
ＩＤ、求職条件２６にはスキルＩＤ、就業形態、職業分野等を含み、技能（スキル）２７には技能程度、技能水準を含み、経歴２８には業務請負履歴、就業経歴等を含む。
【００４０】
図５はＷｅｂ情報公開手段９とＷｅｂ情報管理手段１０とそれらの配下の管理表の詳細を示したブロック図である。
【００４１】
委託案件管理表１１１、プロジェクト提案管理表１７１、スキル情報管理表２３１はそれぞれ委託業務案件情報、プロジェクト提案情報、スキル情報を新規登録する際にＩＤを付与するための採番台帳である。
【００４２】
Ｗｅｂ情報公開手段９の入札公開手段１１は登録手段１１１と閲覧手段１１２を含む。登録手段１１１はＰＪ発注者（企業会員）２にアクセスされると、その会員ＩＤから会員種別を判定し、企業会員であることを確認し、業務委託案件登録の為の情報、即ちＷＷＷ閲覧端末２１のブラウザにより表示や実行されるＨＴＭＬ情報で、委託業務案件情報の各項目名や入力枠を含むテンプレートも含む情報をＷＷＷ閲覧端末２１に送る。
【００４３】
そして、テンプレートに記入された情報を受信すると、これに委託案件管理表１１１上の次エントリのＩＤ（例えば通番）を付加し委託業務案件情報１３として格納する。このＩＤはＷＷＷ閲覧端末２１にも通知する。
【００４４】
閲覧手段１１２は、ＳＯＨＯ会員３、４にアクセスされると、その会員ＩＤから会員種別を判定し、ＳＯＨＯ会員であることを確認し、登録済みの業務委託案件の一覧情報をＷＷＷ閲覧端末３１、や４１に返信し、指定された業務委託案件情報（ＨＴＭＬ情報）を送信し閲覧させる。
【００４５】
この送信された情報には、入札申し込み用のボタン或いはアイコンとそれが操作された際にプロジェクトＩＤ、プロジェクト提案情報のＵＲＬ、ＳＯＨＯ会員ＩＤ、を取得するＨＴＭＬ情報も含む。取得した請負申し込み情報は入札管理手段１２に渡す。
【００４６】
Ｗｅｂ情報公開手段９のプロジェクト公開手段１７は登録手段１７１と閲覧手段１７２を含む。登録手段１７１はＳＯＨＯ会員３にアクセスされると、その会員ＩＤから会員種別を判定し、ＳＯＨＯ会員であることを確認し、プロジェクト提案登録の為の情報、即ちＷＷＷ閲覧端末３１のブラウザにより表示や実行されるＨＴＭＬ情報で、プロジェクト提案情報の各項目名や入力枠を含むテンプレートも含む情報をＷＷＷ閲覧端末３１に送る。
【００４７】
そして、テンプレートに記入された情報を受信すると、これにプロジェクト提案管理表１７１上の次エントリのＩＤ（例えば通番）を付加しプロジェクト提案情報１９として格納する。このＩＤはＷＷＷ閲覧端末３１にも通知する。
【００４８】
閲覧手段１７２は、ＳＯＨＯ会員４にアクセスされると、その会員ＩＤから会員種別を判定し、ＳＯＨＯ会員であることを確認し、登録済みのプロジェクト提案の一覧情報をＷＷＷ閲覧端末４１に返信し、指定されたプロジェクト提案情報（ＨＴＭＬ情報）を送信し閲覧させる。
【００４９】
この送信された情報には、参加応募用のボタン或いはアイコンとそれが操作された際にスキル情報ＩＤ、スキル情報のＵＲＬ、ＳＯＨＯ会員ＩＤ、を取得するＨＴＭＬ情報も含む。取得した応募情報はプロジェクト管理手段１８に渡す。
【００５０】
Ｗｅｂ情報公開手段９のスキル公開手段２３は登録手段と閲覧手段を含む。登録手段はＳＯＨＯ会員４にアクセスされると、その会員ＩＤから会員種別を判定し、ＳＯＨＯ会員であることを確認し、スキル情報登録の為の情報、即ちＷＷＷ閲覧端末４１のブラウザにより表示や実行されるＨＴＭＬ情報で、スキル情報の各項目名や入力枠を含むテンプレートも含む情報をＷＷＷ閲覧端末４１に送る。
【００５１】
そして、テンプレートに記入された情報を受信すると、これにスキル情報管理表２３１上の次エントリのＩＤ（例えば通番）を付加しスキル情報２５として格納する。このＩＤはＷＷＷ閲覧端末４１にも通知する。
【００５２】
ここでスキル情報のＩＤをそのＳＯＨＯ会員ＩＤとする場合は、スキル情報管理表２３１や、採番処理を省略できる。
【００５３】
リンク情報管理表１０１は、登録された委託業務案件毎に入札されたプロジェクト提案情報ＩＤ、ＰＪ請負者の会員ＩＤと参加ＳＯＨＯ会員ＩＤを保持管理する表である。入札管理手段１２が入札公開手段１１からの入札申し込情報を受け付けた際にプロジェクト提案情報ＩＤ、ＰＪ請負者の会員ＩＤと参加ＳＯＨＯ会員ＩＤが追加される。
【００５４】
図６に委託案件管理表１１１の例を示す。委託案件管理表１１１は委託案件ＩＤと登録した企業会員ＩＤと委託業務案件情報のＵＲＬ（カタログ名まで含む）を含む。
【００５５】
プロジェクト提案管理表１７１は同様であり図示してないが、プロジェクト提案ＩＤと登録したＳＯＨＯ会員ＩＤとプロジェクト提案情報のＵＲＬを含む。
【００５６】
委託案件管理表１１１は、委託業務案件情報１３の登録に際し、ＩＤをユニークに付与する為に使用されるが、入札管理手段１２にアクセスした会員に対し、委託業務案件情報１３の管理情報の閲覧、更新先が本人が登録したものであるかどうかの確認にも用いる。
【００５７】
プロジェクト提案管理表１７１もプロジェクト管理手段１８にアクセスしたＳＯＨＯ会員に対し、プロジェクト提案情報１９の管理情報の閲覧、更新先が本人が登録したものであるかどうかの確認にも用いる。
【００５８】
図７にリンク情報管理表１０１の例を示す。リンク情報管理表１０１は委託案件ＩＤと登録した企業会員ＩＤと、受け付けたプロジェクト提案ＩＤと、プロジェクト提案ＩＤごとの採用予定ＳＯＨＯの会員ＩＤを含む。
【００５９】
次に本発明の個人事業者向けプロジェクト請負支援システムの典型的処理動作について図面を参照し説明する。
【００６０】
図１を参照し、会員制交流ネットワーク１に所属するＰＪ発注者２は、企業の属性的情報を伴って企業会員の登録を行うと、会員管理手段６によって企業会員ＩＤと該会員の随意意志による変更が可能な認証パスワードを付与され、以降は該会員ＩＤと認証パスワードによりＰＪ発注者２向けの委託業務案件情報１３の利用に関する入札公開手段１１と、入札管理手段１２とを利用できるようになる（ステップ１）。
【００６１】
又、ＰＪ請負者３は、個人の属性的情報を伴ってＳＯＨＯ会員登録を行うと、会員管理手段６によってＳＯＨＯ会員ＩＤと該会員の随意意志による変更が可能な認証パスワードを付与され、以降は該会員ＩＤと認証パスワードによりＰＪ請負者３向けのプロジェクト提案情報１９の利用に関するプロジェクト公開手段１７と、プロジェクト管理手段１８とを利用できるようになる（ステップ２）。
【００６２】
又、ＰＪ参加者４は、個人の属性的情報を伴ってＳＯＨＯ会員登録を行うと、会員管理手段６によって会員ＩＤと該会員の随意意志による変更が可能な認証パスワードを付与され、以降は該会員ＩＤと認証パスワードによりＰＪ参加者４向けのスキル情報２５の利用に関するスキル公開手段２３と、スキル管理手段２４とを利用できるようになる（ステップ３）。
【００６３】
ＰＪ参加者４が具体的なスキル情報の登録を望み、前記会員ＩＤと認証パスワードによる会員管理手段６の認証によりスキル公開手段２３にアクセスし、これよりスキル登録用テンプレート等を受信する。
【００６４】
これを用いてプロジェクト提案に関する次のような公開情報を登録する（ステップ４）。
・ＩＤ、求職条件２６
スキルＩＤ（会員番号の冒頭にＳを付加した番号等）、発注形態、職業分野等情報
・技能情報２７
職業分野での技能程度、水準比較値等情報
・経歴情報２８
就業経歴、業務請負履歴、実績請負単価等情報。
【００６５】
次に、ＰＪ発注者２が具体的な委託業務案件の登録を望み、前記会員ＩＤと認証パスワードによる会員管理手段６の認証により入札公開手段１１に接続し、これの登録手段を用いて該委託業務案件に関する次のような公開情報を登録する。
【００６６】
登録は委託案件登録用テンプレート等を受信し、これに記入し返信し登録する（ステップ５）。
・ＩＤ、提案仕様書（ＲＦＰ）１４
委託案件ＩＤ、業務の要件、仕様、入札期限等情報
・取引条件１５
納期、検収予定日、支払期日、支払手段等。
【００６７】
次に、ＰＪ請負者３が、会員ＩＤと認証パスワードによる会員管理手段６の認証により入札公開手段１１に接続し、これの閲覧手段により委託業務案件情報１３を閲覧する（ステップ６）。
【００６８】
ここで請負が出来そうであれば、委託業務案件の業務請負を目指してプロジェクト提案情報を作成し、会員制交流ネットワーク１にアクセスし前記会員ＩＤと認証パスワードによる会員管理手段６の認証によりプロジェクト公開手段１７にアクセスし、これの登録手段を指定する。
【００６９】
登録用テンプレートを受信し、これに記入することでプロジェクト提案に関する次のような公開情報を登録することができる（ステップ７）。
・ＩＤ、ＰＪ提案２０
プロジェクトＩＤ、提案仕様書（ＲＦＰ）、提案に関する進行管理情報（請負提案、日程、工程、体制（初期値はスキル毎の要員数）、提案に関する収支見込情報（見積費用、報酬分配金、経費等）
・ＰＪ経歴、ＰＭ格付２１
それまでのＰＪ請負履歴。（運営、履行評価情報は自らは登録できないようにする）。
【００７０】
次に、仕事を探しているＰＪ参加者（ＳＯＨＯ会員）４が、会員制交流ネットワーク１にアクセスし前記会員ＩＤと認証パスワードによる会員管理手段６の認証によりプロジェクト公開手段１７のアクセスを許可され、これの閲覧手段を選択し、プロジェクト提案情報１９を閲覧する（ステップ８）。
【００７１】
ＰＪ参加者（ＳＯＨＯ会員）４はプロジェクト提案情報１９のＲＦＰやＩＤ・ＰＪ提案２０の前記体制等を確認し、自分のスキルで対応出来そうであれば、応募ボタンを操作し、表示される記入枠に応募情報（会員ＩＤ、自分のスキル情報のＵＲＬ）を入力する（ステップ９）。
【００７２】
応募情報は、プロジェクト公開手段１７に送信され、更にプロジェクト管理手段１８に渡る。
【００７３】
プロジェクト管理手段１８はこれを応募選考２２の応募受付に格納する（ステップ１０）。
【００７４】
ＰＪ請負者３は、プロジェクト管理手段１８に前記同様にアクセスし、プロジェクト提案情報１９の応募受付情報を閲覧を指示する。プロジェクト管理手段１８は閲覧者がＰＪ請負者３本人であることを確認し、受け付けたＰＪ参加者４のスキル情報検索収集ボタンを指定する。
【００７５】
プロジェクト管理手段１８が応募受付情報のＵＲＬを取得し、対応するスキル情報を順次表示する（ステップ１１）。
【００７６】
ＰＪ請負者３はプロジェクト体制が構築可能と判断すると、入札公開手段１１にアクセスし、目的の委託業務案件情報１３を閲覧し、表示されている入札申込ボタンを操作し、表示される記入枠に申し込み情報（プロジェクト提案ＩＤ、プロジェクト提案のＵＲＬ、会員ＩＤ）を入力する（ステップ１２）。
【００７７】
入札申込情報は、入札公開手段１１に送信され、更に入札管理手段１２に渡る。
【００７８】
入札管理手段１２はこれを入札選考情報１６の入札受付に格納する（ステップ１３）。
【００７９】
ＰＪ発注者２は、入札管理手段１２に前記同様にアクセスし、委託業務案件情報１３の入札受付情報の閲覧を指示する。入札管理手段１２は閲覧者がＰＪ発注者２本人であることを確認し、受け付けたプロジェクト提案情報検索収集ボタンを指定する。
【００８０】
入札管理手段１２は入札受付情報のＵＲＬを取得し、対応するプロジェクト提案情報を順次表示し、その際にＰＪ参加者４のスキル情報検索収集ボタンを指定すれば、対応するスキル情報も表示される（ステップ１４）。
【００８１】
ＰＪ発注者２は、これらのプロジェクト提案情報やスキル情報を比較し、選定プロジェクト提案を決めると、「入札選考情報登録」を指定し受け付けたプロジェクト提案情報毎に落札／否を入力し、落札の場合には提案内容の優位性やプロジェクト履行に関する評価内容も追記する（ステップ１５）。
【００８２】
入力された情報は入札管理手段１２に送信され、入札管理手段１２が入札選考情報１６に格納する。又各プロジェクト提案の選考結果はプロジェクト管理手段１８に渡され、プロジェクト管理手段１８がＰＪ経歴、ＰＭ格付２１に追記する。これにより、ＰＪ請負者３への落札／否を通知し、又落札したＰＪ請負者３のＰＪ経歴情報、ＰＭ格付情報に反映できる（ステップ１６）。
【００８３】
ＰＪ請負者３は落札が通知されるとプロジェクト管理手段１８に接続し、「応募選考情報更新」を指定し、受け付けたＰＪ参加の応募情報毎に採用／否を入力し、採用の場合にはそのＰＪ参加者の業務請負履歴や実績請負単価等に関する評価情報も追記する（ステップ１７）。
【００８４】
入力された情報はプロジェクト管理手段１８に送信され、プロジェクト管理手段１８が応募選考情報２２に格納する。又各応募に対する選考結果（採用／否と採用ＳＯＨＯ向けの評価情報）はスキル管理手段２４に渡され、スキル管理手段２４が経歴情報２８に追記する。
【００８５】
これにより、ＰＪ参加者４へ採用／否が通知され、又採用したＰＪ参加者４の経歴情報に反映できる（ステップ１８）。
【００８６】
尚、上記の説明ではＰＪ発注者２（ＷＷＷ閲覧端末２１）からＰＪ請負者３（ＷＷＷ閲覧端末３１）への落札／否の通知、ＰＪ請負者３（ＷＷＷ閲覧端末３１）からＰＪ参加者４（ＷＷＷ閲覧端末４１）への採用／否の通知は、相手のＰＪ経歴、ＰＭ格付エリアや、経歴エリアにメッセージを書き込むことで通知しているが、入札申込や応募情報で通信先のメールアドレスも取得し、入札管理手段１２、プロジェクト管理手段１８が入力された情報に基づき通知メールを生成し送信する様にしてもよい。
【００８７】
又、ステップ１１でＰＪ請負者３が応募状況等を確認した際に、予定の要員数を越えた応募を受け付けていれば、その段階でプロジェクト管理手段１８にアクセスし、選定を行い採用予定／否を決め応募選考情報２２に登録してから入札申込をする様にしてもよい。
【００８８】
この場合、入札管理手段１２によるＰＪ参加者４の履歴情報の検索収集は採用予定ＳＯＨＯのみが収集される。
【００８９】
【発明の効果】
以上詳述した如く、本発明の個人事業者向け業務請負支援システムは、ＰＪ参加者の立場ではプロジェクトの運営を統括するＰＪ請負者の資質を確認し信頼したうえで参加できる安心感を備え、プロジェクトを編成し運営を統括するＰＪ請負者の立場では優秀なＰＪ参加者の発掘やその技能程度の把握、予算設定などの管理業務を簡便容易に行え、業務委託企業の立場では業務委託先の企業から個人事業者への切り替えや委託業務範囲の拡大等を容易に導入し人件費の低減等の合理化を図れるという優れた効果を有する。
【００９０】
また、今後の流動化し変化する労働市場にあっては、本発明の活用によるＳＯＨＯと発注企業にとのビジネス交流やコラボレーション、ビジネスマッチング等の拡大を通して、有能者ＳＯＨＯの請負市場に対する価値をより高めていくことができ、また、潜在的な技能を有してはいるが案件受注能力等に欠けるＳＯＨＯの価値を発掘し育成することができ、ＳＯＨＯ請負市場全体の拡大を促進するという好循環をも期待できるものである。
【図面の簡単な説明】
【図１】本発明の業務請負支援システムの全体的な構成を示すブロック図。
【図２】図１の委託業務案件情報１３の具体例を示した図。
【図３】図１のプロジェクト提案情報１９の具体例を示した図。
【図４】図１のスキル情報２５の具体例を示した図。
【図５】図１のＷｅｂ情報公開手段９とＷｅｂ情報管理手段１０とそれらの配下の管理表の詳細を示したブロック図。
【図６】図５の委託案件管理表１１１の例を示した図。
【図７】図５のリンク情報管理表１０１の例を示した図。
【符号の説明】
１　　会員制交流ネットワーク
２　　ＰＪ発注者
３　　ＰＪ請負者
４　　ＰＪ参加者
５　　インターネット網
６　　会員管理手段
７　　会員管理情報
８　　ログオン／アクセス管理手段
９　　Ｗｅｂ情報公開手段
１０　　Ｗｅｂ情報管理手段
１１　　入札公開手段
１２　　入札管理手段
１３　　委託業務案件情報
１７　　プロジェクト公開手段
１８　　プロジェクト管理手段
１９　　プロジェクト提案情報
２１、３１、４１　　ＷＷＷ閲覧端末
２３　　スキル公開手段
２４　　スキル管理手段
２５　　スキル情報
３０、３１、３２　　イントラネット／インターネット
【図１】
2004086757.tif 000003
【図２】
2004086757.tif 000004
【図３】
2004086757.tif 000005
【図４】
2004086757.tif 000006
【図５】
2004086757.tif 000007
【図６】
2004086757.tif 000008
【図７】
2004086757.tif 000009